(57)【要約】【課題】両持ちランスの接続端子との係合部分近傍を押圧してその係合を解除させる方向に両持ちランスを撓ませ、コネクタハウジングに損傷を与えることなく容易に且つ確実に両持ちランスと接続端子との係合を解除できるようにした端子係合解除治具および端子抜き取り方法を提供すること。【解決手段】端子係合解除治具（２０）は、その棒状本体（２２）の先端中央から上方に傾斜する上テーパ面（２２ｃ）と、該先端中央から下方に傾斜する下テーパ面（２２ｄ）と、当該下テーパ面（２２ｄ）に連続して下方に突出する突起部（２２ｅ）と、を備えている。【選択図】      図７
2004327370.tif 000002
【特許請求の範囲】
【請求項１】
コネクタハウジング内に形成された両持ちランスと接続端子との係合を解除するための端子係合解除治具であって、
棒状本体と、
前記棒状本体の先端から下方に傾斜する下テーパ面と、
前記下テーパ面に連続して前記棒状本体の先端から下方に突出する突起部と、
を備えていることを特徴とする端子係合解除治具。
【請求項２】
前記棒状本体の先端から上方に傾斜する上テーパ面を更に備えていることを特徴とする請求項１に記載した端子係合解除治具。
【請求項３】
コネクタハウジング、当該コネクタハウジングの内部に形成された端子収容室、前記コネクタハウジングの後方から挿入され且つ前記端子収容室に収容された接続端子、および前記端子収容室内に突出するように前記コネクタハウジングに設けられ且つ前記接続端子の前記端子収容室への挿入方向と直交する方向に撓み変形可能なように前記接続端子の挿入方向前方の前端部および挿入方向後方の後端部が前記コネクタハウジングに結合されて両持ち状に形成された両持ちランス、を含み、当該両持ちランスが前記接続端子に向けて突出する係止部を有し、そして当該係止部に前記接続端子の係合突起を係合させて当該接続端子が前記端子収容室内に係止されたコネクタから前記接続端子を抜き取るために、前記コネクタハウジングに設けられた治具挿入口を通って前記端子収容室に挿入可能で且つ当該端子収容室に挿入された際に前記両持ちランスを撓ませて前記係止部と前記係合突起との係合を解除する端子係合解除治具であって、
棒状本体と、
前記棒状本体の先端から下方に傾斜する下テーパ面と、
前記下テーパ面に連続して前記棒状本体の先端から下方に突出する突起部と、
を備え、
前記棒状本体が前記下テーパ面を前記両持ちランスの前端部上に摺接させながら当該両持ちランスと前記接続端子との間に挿入され、その際、前記突起部が前記両持ちランスの上面を押圧して当該両持ちランスを撓ませることを特徴とする端子係合解除治具。
【請求項４】
前記棒状本体の先端から上方に傾斜する上テーパ面を更に備え、前記両持ちランスの係止部と前記接続端子の係合突起との係合が解除される前に前記係合突起を押圧しないように前記上テーパ面が前記棒状本体に形成されていることを特徴とする請求項３に記載した端子係合解除治具。
【請求項５】
前記治具挿入口を画成する前記コネクタハウジングの面に沿って前記棒状本体が前記接続端子の挿入方向と平行に前記端子収容室に挿入されることを特徴とする請求項３または請求項４に記載した端子係合解除治具。
【請求項６】
コネクタハウジングの端子収容室内に突出するように設けられ且つ前端部と後端部が前記コネクタハウジングに結合された両持ちランスによって係止されている接続端子を前記コネクタハウジングから抜き取る方法であって、
棒状本体、当該棒状本体の先端から下方に傾斜する下テーパ面、および当該下テーパ面に連続して前記棒状本体の先端から下方に突出する突起部、を有する端子係合解除治具を準備し、
前記端子係合解除治具を前記コネクタハウジングの前壁に設けられた治具挿入口から前記端子収容室に向けて挿入し、
前記下テーパ面を前記両持ちランスの前端部上に摺接させながら前記棒状本体の先端を前記両持ちランスと前記接続端子との間に挿入し、それにより前記突起部が前記両持ちランスの係止部と前記接続端子の係合突起との係合を解除するように前記両持ちランスの上面を押圧して当該両持ちランスを下方に撓ませ、
その後、前記接続端子を前記コネクタハウジングの後方に引き抜くことを特徴とする端子抜き取り方法。
【請求項７】
前記端子係合解除治具が前記棒状本体の先端から上方に傾斜する上テーパ面を更に有し、前記係止部と前記係合突起との係合が解除される前に当該係合突起を前記上テーパ面で押圧せずに前記棒状本体の先端を前記両持ちランスと前記接続端子との間に挿入することを特徴とする請求項６に記載した端子抜き取り方法。
【発明の詳細な説明】
【０００１】
【発明の属する技術分野】
本発明は、端子係合解除治具および端子抜き取り方法に関する。
【０００２】
【従来の技術】
一般的に、コネクタは、そのコネクタハウジングの後端から当該コネクタハウジング内の端子収納室に挿入された接続端子に前記端子収納室内に設けられたランスを係合させて、前記接続端子のコネクタハウジングからの後抜けが防止されるように構成されている。
【０００３】
端子係合解除治具は接続端子が収容されたコネクタハウジングから当該接続端子を抜き取るために用いられる。この端子係合解除治具を用いた接続端子の抜き取りは、先ずコネクタハウジングの前方から端子係合解除治具を挿入し、そして当該端子係合解除治具によりランスを撓ませて接続端子との係合を解除した後、その接続端子をコネクタハウジングから後方に抜き取ることにより行なわれる。
【０００４】
端子係合解除治具は『端子抜き取り治具』とも称される。従来の端子係合解除治具の先端形状は単一の傾斜面が形成された単純な形状となっており、当該端子係合解除治具がコネクタハウジングの端子収納室に挿入されると、前記傾斜面に沿ってランスが押し上げ（または押し下げ）られ、それによりランスと接続端子との係合が解除される。
【０００５】
尚、従来の端子係合解除治具の一例としては、端子係合解除治具（端子抜き取り治具）の先端傾斜面の角度をランスの先端突起と係止突起の両摺動点を結ぶ接線の角度よりも大きくし、接続端子との係合が解除される前に端子係合解除治具（端子抜き取り治具）の先端がランスに干渉するのを防止して、ランスと接続端子との係合を確実に解除できるようにしたものが知られている（特許文献１参照）。
【０００６】
【特許文献１】
特開平９−１１５６４４号公報（第３〜４頁、第１図）
【０００７】
尚、特許文献１で開示されている端子係合解除治具（端子抜き取り治具）は、端子収容室の内壁から前方に延長され且つ前端部（即ち、先端部）が自由端となるように形成された片持ち状のランス（即ち、片持ちランス）に対応した形状となっている。ところが、近年のコネクタ小型化の要求からランスの幅を小さく（換言すれば、狭く）せねばならず、片持ち状のランスでは接続端子のコネクタハウジングからの後抜けを防止することが難しくなってきている。
【０００８】
そこで、ランス前後端部（即ち、ランスの接続端子挿入方向における前方端部および後方端部）をコネクタハウジングに結合させた両持ち状のランス（即ち、両持ちランス）を備えた小型コネクタの開発が進められている。
【０００９】
【発明が解決しようとする課題】
しかしながら、従来の端子係合解除治具（即ち、片持ちランス用の端子係合解除治具）を用いて両持ちランスと接続端子との係合を無理なく解除しながら、当該接続端子をコネクタハウジングから抜き取ることは困難である。これは、具体的に、従来の端子係合解除治具では、単純な先端形状のために、両持ちランスを十分に撓ませるよう押し上げて（または押し下げて）当該両持ちランスと接続端子との係合を解除することが難しいからである。
【００１０】
例え、従来の端子係合解除治具を用いて両持ちランスと接続端子との係合を解除することができたとしても、当該端子係合解除治具が該両持ちランスと接続端子との係合を解除する前に接続端子を押圧し、それにより無理に接続端子を押し込むこととなるので、その接続端子によって両持ちランスの係止部（即ち、接続端子と係合する部分）を削ってしまい、その結果、コネクタハウジングが不良品となる可能性がある。
【００１１】
また、基端部（即ち、後端部）のみがコネクタハウジングに結合された片持ちランスとは異なり、両持ちランスは、その先端部（即ち、前端部）がコネクタハウジングに結合されており、そのランス先端自体が撓み難いため、当該両持ちランスの前端部と後端部との間に位置する接続端子との係合部分近傍に端子係合解除治具を当接させる必要がある。それ故、片持ちランスと接続端子との係合を解除する場合と比較すると、端子係合解除治具の挿入力（即ち、操作力）が極端に大きくなるばかりでなく、端子係合解除治具によって両持ちランス等を塑性変形させてしまう可能性も考えられる。
【００１２】
本発明は、前述した事情に鑑みてなされたものであり、その目的は、両持ちランスの接続端子との係合部分近傍を押圧してその係合を解除させる方向に両持ちランスを撓ませ、コネクタハウジングに損傷を与えることなく容易に且つ確実に両持ちランスと接続端子との係合を解除できるようにした端子係合解除治具および端子抜き取り方法を提供することにある。
【００１３】
【課題を解決するための手段】
前述した目的を達成するために、本発明に係る端子係合解除治具は、請求項１に記載したように、コネクタハウジング内に形成された両持ちランスと接続端子との係合を解除するための端子係合解除治具であって、
棒状本体と、
前記棒状本体の先端から下方に傾斜する下テーパ面と、
前記下テーパ面に連続して前記棒状本体の先端から下方に突出する突起部と、
を備えていることを特徴としている。
【００１４】
請求項１に記載の発明によれば、端子係合解除治具が、棒状本体、当該棒状本体の先端から下方に傾斜する下テーパ面、および当該下テーパ面に連続して棒状本体の先端から下方に突出する突起部、を備えているので、棒状本体の先端が下テーパ面によって両持ちランスと接続端子との間に滑らかに入り込み（即ち、挿入され）、その棒状本体の先端に設けられた突起部が両持ちランスの接続端子との係合部分近傍を押圧してその係合を解除させる方向に両持ちランスを撓ませるので、容易に且つ確実に両持ちランスと接続端子との係合を解除できる。また、端子係合解除治具の挿入力（操作力）が極端に大きくなることもなく、よって、両持ちランス等の塑性変形を防止することができる。
【００１５】
また、本発明に係る端子係合解除治具は、請求項２に記載したように、請求項１記載の端子係合解除治具が、前記棒状本体の先端から上方に傾斜する上テーパ面を更に備えていることを特徴としている。
【００１６】
請求項２に記載の発明によれば、端子係合解除治具が棒状本体の先端から上方に傾斜する上テーパ面を更に備えているので、棒状本体先端の挿入によって両持ちランスと接続端子との係合が解除される前に、端子係合解除治具が接続端子を押圧しない。即ち、端子係合解除治具が無理に接続端子を押し込んで当該接続端子によってランスが削られることを防止できる。
【００１７】
また、前述した目的を達成するために、本発明に係る端子係合解除治具は、請求項３に記載したように、
コネクタハウジング、当該コネクタハウジングの内部に形成された端子収容室、前記コネクタハウジングの後方から挿入され且つ前記端子収容室に収容された接続端子、および前記端子収容室内に突出するように前記コネクタハウジングに設けられ且つ前記接続端子の前記端子収容室への挿入方向と直交する方向に撓み変形可能なように前記接続端子の挿入方向前方の前端部および挿入方向後方の後端部が前記コネクタハウジングに結合されて両持ち状に形成された両持ちランス、を含み、当該両持ちランスが前記接続端子に向けて突出する係止部を有し、そして当該係止部に前記接続端子の係合突起を係合させて当該接続端子が前記端子収容室内に係止されたコネクタから前記接続端子を抜き取るために、前記コネクタハウジングに設けられた治具挿入口を通って前記端子収容室に挿入可能で且つ当該端子収容室に挿入された際に前記両持ちランスを撓ませて前記係止部と前記係合突起との係合を解除する端子係合解除治具であって、
棒状本体と、
前記棒状本体の先端から下方に傾斜する下テーパ面と、
前記下テーパ面に連続して前記棒状本体の先端から下方に突出する突起部と、
を備え、
前記棒状本体が前記下テーパ面を前記両持ちランスの前端部上に摺接させながら当該両持ちランスと前記接続端子との間に挿入され、その際、前記突起部が前記両持ちランスの上面を押圧して当該両持ちランスを撓ませることを特徴としている。
【００１８】
請求項３に記載の発明によれば、本発明に係る端子係合解除治具を請求項３に記載した一構造例を備えたコネクタに適用すると好適であり、当該端子係合解除治具が、棒状本体、当該棒状本体の先端から下方に傾斜する下テーパ面、および当該下テーパ面に連続して棒状本体の先端から下方に突出する突起部、を備え、棒状本体が下テーパ面を両持ちランスの前端部上に摺接させながら当該両持ちランスと接続端子との間に挿入され、その際、突起部が両持ちランスの上面を押圧して当該両持ちランスを撓ませるので、容易に且つ確実に両持ちランスと接続端子との係合を解除できる。また、端子係合解除治具の挿入力（操作力）が極端に大きくなることもなく、よって、両持ちランス等の塑性変形を防止することができる。
【００１９】
また、本発明に係る端子係合解除治具は、請求項４に記載したように、請求項３記載の端子係合解除治具が、前記棒状本体の先端から上方に傾斜する上テーパ面を更に備え、前記両持ちランスの係止部と前記接続端子の係合突起との係合が解除される前に前記係合突起を押圧しないように前記上テーパ面が前記棒状本体に形成されていることを特徴としている。
【００２０】
請求項４に記載の発明によれば、端子係合解除治具が棒状本体の先端から上方に傾斜する上テーパ面を更に備え、両持ちランスの係止部と接続端子の係合突起との係合が解除される前に係合突起を押圧しないように上テーパ面が棒状本体に形成されているので、端子係合解除治具が無理に接続端子を押し込んで当該接続端子によってランスが削られることを防止できる。
【００２１】
また、本発明に係る端子係合解除治具は、請求項５に記載したように、請求項３または請求項４記載の端子係合解除治具において、前記治具挿入口を画成する前記コネクタハウジングの面に沿って前記棒状本体が前記接続端子の挿入方向と平行に前記端子収容室に挿入されることを特徴としている。
【００２２】
請求項５に記載の発明によれば、治具挿入口を画成するコネクタハウジングの面に沿って棒状本体が接続端子の挿入方向と平行に端子収容室に挿入されるので、治具挿入口を画成するコネクタハウジングの面が棒状本体を接続端子の挿入方向と平行に端子収容室に挿入させるガイドとなるので、より容易に且つ確実に両持ちランスと接続端子との係合を解除できる。
【００２３】
また、前述した目的を達成するために、本発明に係る端子抜き取り方法は、請求項６に記載したように、コネクタハウジングの端子収容室内に突出するように設けられ且つ前端部と後端部が前記コネクタハウジングに結合された両持ちランスによって係止されている接続端子を前記コネクタハウジングから抜き取る方法であって、
棒状本体、当該棒状本体の先端から下方に傾斜する下テーパ面、および当該下テーパ面に連続して前記棒状本体の先端から下方に突出する突起部、を有する端子係合解除治具を準備し、
前記端子係合解除治具を前記コネクタハウジングの前壁に設けられた治具挿入口から前記端子収容室に向けて挿入し、
前記下テーパ面を前記両持ちランスの前端部上に摺接させながら前記棒状本体の先端を前記両持ちランスと前記接続端子との間に挿入し、それにより前記突起部が前記両持ちランスの係止部と前記接続端子の係合突起との係合を解除するように前記両持ちランスの上面を押圧して当該両持ちランスを下方に撓ませ、
その後、前記接続端子を前記コネクタハウジングの後方に引き抜くことを特徴としている。
【００２４】
請求項６に記載の発明によれば、端子係合解除治具が、棒状本体、当該棒状本体の先端から下方に傾斜する下テーパ面、および当該下テーパ面に連続して棒状本体の先端から下方に突出する突起部、を有しており、棒状本体の先端が下テーパ面によって両持ちランスと接続端子との間に滑らかに入り込み（即ち、挿入され）、その棒状本体の先端に設けられた突起部が両持ちランスの接続端子との係合部分近傍を押圧してその係合を解除させる方向に両持ちランスを撓ませるので、容易に且つ確実に両持ちランスと接続端子との係合を解除できる。また、端子係合解除治具の挿入力（操作力）が極端に大きくなることもなく、よって、両持ちランス等の塑性変形を防止することができる。
【００２５】
また、本発明に係る端子抜き取り方法は、請求項７に記載したように、請求項６記載の端子抜き取り方法において、前記端子係合解除治具が前記棒状本体の先端から上方に傾斜する上テーパ面を更に有し、前記係止部と前記係合突起との係合が解除される前に当該係合突起を前記上テーパ面で押圧せずに前記棒状本体の先端を前記両持ちランスと前記接続端子との間に挿入することを特徴としてい
る。
【００２６】
請求項７に記載の発明によれば、端子係合解除治具が、棒状本体の先端から上方に傾斜する上テーパ面を更に有し、係止部と係合突起との係合が解除される前に、当該係合突起を上テーパ面で押圧せずに棒状本体の先端を両持ちランスと接続端子との間に挿入するので、端子係合解除治具が無理に接続端子を押し込んで当該接続端子によってランスが削られることを防止できる。
【００２７】
以上、本発明について簡潔に説明した。更に、以下に説明される発明の実施の形態を添付の図面を参照して通読することにより、本発明の詳細は更に明確化されるであろう。
【００２８】
【発明の実施の形態】
以下、本発明に係る好適な実施形態を図面に基づいて詳細に説明する。
図１はコネクタハウジング、係止部材、および接続端子を有するコネクタの分解斜視図、図２は係止部材がコネクタハウジングに仮係止された状態を示すコネクタの縦断面図、図３は係止部材が仮係止されたコネクタハウジングに接続端子が挿入された状態を断面で示す斜視図、図４は接続端子が挿入されたコネクタハウジングに係止部材が本係止された状態を断面で示す斜視図、図５は本発明に係る端子係合解除治具の一実施形態の斜視図、図６は図５の端子係合解除治具の側面図、図７は図５の端子係合解除治具の先端形状を示す要部拡大側面図、そして図８（Ａ）〜図８（Ｃ）は図５〜図７に示される端子係合解除治具を用いて両持ちランスと接続端子との係合を解除する手順を示す要部拡大側面図である。
【００２９】
図１および図３に示されるように、コネクタ１０は、合成樹脂絶縁体製の雄型のコネクタハウジング１１と、合成樹脂絶縁体製の係止部材１２と、接続端子４と、を備えている。尚、図１において、コネクタ１０は、コネクタハウジング１１の上部を下にし、そして下部を上にして示されている。コネクタハウジング１１の内部には、隔壁１１ｃによってそれぞれ隔離された複数の端子収容室１１ａが上下二段に配列して形成されており、前壁１１ｋには夫々の端子収容室１１ａに対応して端子挿入口１１ｍが開口している。コネクタハウジング１１の下部外周壁１１ｂの中間部には端子収容室１１ａ間の隔壁１１ｃを横切って上下に貫通する空洞部１３が形成され、ここから係止部材１２を着脱自在に挿着するようになっている。最外側に配置された端子収容室１１ａの外壁は、空洞部１３およびその近傍において切り欠かれ、それにより溝部１１ｄが形成されている。
【００３０】
空洞部１３より前方に形成された端子収容室１１ａ内には、両持ちランス１１ｈが、その前後端部をコネクタハウジング１１に結合されて両持ち状に設けられ、接続端子４の挿入方向と直交する方向に撓み変形可能にされている。尚、両持ちランス１１ｈの前端部は、その両側がコネクタハウジング１１に結合されており、平面視で略Ｔ字状に形成されている。また、両持ちランス１１ｈの上面には、端子収容室１１ａの内方に突出する係止部１１ｉが形成されており、この係止部１１ｉが接続端子４の係合突起４ｂと係合される。尚、コネクタハウジング１１の前壁１１ｋには、各両持ちランス１１ｈに対応して開口する治具挿入口１１ｎが形成されている。
【００３１】
係止部材１２は、複数の端子収容室１１ａそれぞれの開口寸法と実質的に同じ開口寸法の複数の開口部１２ａを有する枠体であり、コネクタハウジング１１の空洞部１３を塞ぐ蓋板部１２ｂ、これと平行な底板部１２ｃ、各端子収容室１１ａの隔壁１１ｃに対応する中間の縦板部１２ｄ、および最外側の縦板部である左右両側の側壁１２ｅを有する。各開口部１２ａ内には、接続端子４の肩部４ａに係合する端子係止部１２ｆ（図３参照）が突設されている。そして、側壁１２ｅの前端面１２ｇの下端には第１係止突起１２ｈが、後端面１２ｊにはスリット１２ｋを介して第２係止突起１２ｍを有する両持ち梁状の可撓腕１２ｎが設けられている。
【００３２】
図２に示されるように、第１係止突起１２ｈの後部には、Ｕ字溝１２ｐが形成され、このＵ字溝１２ｐにより第１係止突起１２ｈに弾性が付与されている。また、第１係止突起１２ｈの内面側には、２本のガイドリブ１２ｒが接続端子４の挿入方向と平行に形成されている。ガイドリブ１２ｒの後方端部にはテーパ面１２ｓが設けられている。ガイドリブ１２ｒの高さは、例えば０．１５ｍｍ程度であり、係止部材１２を空洞部１３に挿入したとき、ガイドリブ１２ｒが端子収容室１１ａの隔壁１１ｃより僅かに突出するようになっている。また、第１係止突起１２ｈは上面側にテーパ面が付され、一方、第２係止突起１２ｍは上下面をテーパ面とした山形突起として形成されている。
【００３３】
係止部材１２の第１係止突起１２ｈおよび第２係止突起１２ｍに対応して、コネクタハウジング１１内には、第１係合部１１ｅおよび第２係合部１１ｆが形成されている。第１係合部１１ｅは、係止部材１２を空洞部１３からコネクタハウジング１１内に挿入し、その開口部１２ａが端子収容室１１ａと実質的に合致する位置に達したときに、この位置で第１係止突起１２ｈと係合して仮係止位置に仮止めするためのもので、下面側にテーパ面１１ｇが設けられている。一方、第２係合部１１ｆは係止部材１２を更に挿入して、端子係止部１２ｆが接続端子４の肩部４ａと係合する位置で、第２係止突起１２ｍと係合して本係止位置に本係止するためのもので、下面側にテーパ面１１ｊが設けられている。
【００３４】
図２に示されるように、コネクタハウジング１１の空洞部１３に係止部材１２を挿入して矢印Ａ方向に軽く押すと、第１係止突起１２ｈが自身のテーパ面をテーパ面１１ｇに摺接させながらコネクタハウジング内の第１係合部１１ｅを乗り越え、同時に第２係止突起１２ｍが第２係合部１１ｆのテーパ面１１ｊ上に乗りかかった状態となって、係止部材１２がコネクタハウジング１１に対して仮係止される。この仮係止位置では、係止部材１２の開口部１２ａは端子収容室１１ａと実質的に合致する（即ち、接続端子４を挿通できる程度に連通する）ので、コネクタハウジング１１の後方から接続端子４を挿入することができる。
【００３５】
前述の仮係止位置から係止部材１２を更に矢印Ａ方向に押圧すると、スリット１２ｋによって弾性が付与された可撓腕１２ｎが矢印Ｂ方向に撓み、これにより第２係止突起１２ｍが自身のテーパ面をテーパ面１１ｊに摺接させながら第２係合部１１ｆを乗り越え、係止部材１２がコネクタハウジング１１に対して本係止される。この本係止位置では、図４に示されるように、接続端子４の肩部４ａに端子係止部１２ｆが係合される。従って、接続端子４は、両持ちランス１１ｈおよび端子係止部１２ｆにより２重に係止される。
【００３６】
即ち、図３に示されるように、係止部材１２の仮係止位置において、後方から端子収容室１１ａに接続端子４を矢印Ｃ方向に挿入すると、当該接続端子４が端子収容室１１ａ内の両持ちランス１１ｈの後方テーパ面を摺接することにより当該両持ちランス１１ｈが接続端子４の挿入方向と直交する方向（即ち、下方）に撓んで、接続端子４の更なる挿入を許容する。そして、接続端子４の係合突起４ｂが、係止部１１ｉに達する（即ち、乗り越える）と、両持ちランス１１ｈが元の位置に復帰し、係止部１１ｉが接続端子４の係合突起４ｂに係合して接続端子４を１次係止する。この状態で、図４に示されるように、係止部材１２を矢印Ａ方向に押圧して本係止位置に移動させると、開口部１２ａ内の端子係止部１２ｆが接続端子４の肩部４ａと係合して、接続端子４が更に２次係止される。尚、係止部材１２の係止解除は、上述の手順と逆の手順で行なえばよい。
【００３７】
図５〜図７に示されるように、本発明に係る端子係合解除治具２０は、把持部２１と、当該把持部２１の一端から延長された棒状本体２２と、を備え、これらを金属材料により一体成形したものである。棒状本体２２は、比較的広幅とされて剛性を高められた基部２２ａと、コネクタハウジング１１の治具挿入口１１ｎから挿入可能となるように細く形成された先端部２２ｂ、とを有している。図７に示されるように、先端部２２ｂには、その先端から上方および下方に傾斜する上テーパ面２２ｃおよび下テーパ面２２ｄが設けられるとともに、下テーパ面２２ｄに連続して下方に突出する突起部２２ｅが形成されている。突起部２２ｅは棒状本体２２の長手方向と略直交する方向に突出しており、この突起部２２ｅと基部２２ａとの間には端子係合解除治具２０が端子収容室１１ａに挿入された際に両持ちランス１１ｈを逃がすための退避空間が設けられている。尚、先端部２２ｂの長さは、強度上の観点から、なるべく短い方がよく、治具挿入口１１ｎから挿入された端子係合解除治具２０の突起部２２ｅが、両持ちランス１１ｈの係止部１１ｉに達する程度にされている。
【００３８】
次に、本実施形態の作用を説明する。
上述したように、２重係止された接続端子４をコネクタハウジング１１から抜き取るには、先ず、係止部材１２を矢印Ａ方向と反対方向に移動させて、図４に示す本係止位置から図３に示す仮係止位置に変位させる。次いで、図８（Ａ）に示されるように、端子係合解除治具２０の棒状本体２２を治具挿入口１１ｎから矢印Ｄ方向に挿入する。端子係合解除治具２０の下テーパ面２２ｄは、両持ちランス１１ｈの先端で上方に傾斜して形成された前端傾斜面１１ｐに、当接する。
【００３９】
図８（Ｂ）に示されるように、端子係合解除治具２０を更に矢印Ｄ方向に挿入すると、端子係合解除治具２０が、下テーパ面２２ｄを前端傾斜面１１ｐに摺接させながら両持ちランス１１ｈの先端部（前端部）を滑らかに乗り越え、両持ちランス１１ｈと接続端子４との間に進入し、そして突起部２２ｅが両持ちランス１１ｈの上面に当接して、これを押し下げる。このとき、治具挿入口１１ｎを画成するコネクタハウジング１１の前壁１１ｋの内周面が少なくともガイドとなり、また更には両持ちランス１１ｈの前端傾斜面１１ｐもガイドとなり、これらに沿って棒状本体２２が接続端子４の挿入方向と平行に端子収容室１１ａ内に挿入される。両持ちランス１１ｈは、コネクタハウジング１１と連続するＸ点およびＹ点を支点として下方に略弓形に撓み、接続端子４の係合突起４ｂと両持ちランス１１ｈの係止部１１ｉとの係合が解除される。尚、端子係合解除治具２０の上テーパ面２２ｃは、接続端子４の係合突起４ｂと両持ちランス１１ｈの係止部１１ｉとの係合が解除される前に、接続端子４の係合突起４ｂを棒状本体２２が押圧しないように、形成されている。ここで、図８（Ｃ）に示されるように、接続端子４を矢印Ｅ方向に引くことにより、接続端子４を端子収容室１１ａから抜き取ることができる。
【００４０】
このように、端子係合解除治具２０の棒状本体２２が下テーパ面２２ｄを両持ちランス１１ｈの前端部上に摺接させながら当該両持ちランス１１ｈと接続端子４との間に挿入され、その際、突起部２２ｅが両持ちランス１１ｈの上面を押圧して当該両持ちランス１１ｈを下方に撓ませるので、容易に且つ確実に両持ちランス１１ｈと接続端子４との係合を解除できる。また、端子係合解除治具２０の挿入力（操作力）が極端に大きくなることもなく、よって、両持ちランス１１ｈ等の塑性変形を防止することができる。
【００４１】
また、両持ちランス１１ｈの係止部１１ｉと接続端子４の係合突起４ｂとの係合が解除される前に係合突起４ｂを押圧しないように上テーパ面２２ｃが端子係合解除治具２０の棒状本体２２に形成されているので、端子係合解除治具２０が無理に接続端子４を押し込んで当該接続端子４の係合突起４ｂによって両持ちランス１１ｈが削られることが防止される。
【００４２】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００４３】
尚、前述した実施形態では、雌端子（接続端子）を収容した雄型のコネクタハウジングに適用した場合について説明したが、雄端子を収容する雌型のコネクタハウジングにも同様に適用することができる。
【００４４】
【発明の効果】
以上、説明したように、本発明によれば、容易に且つ確実に両持ちランスと接続端子との係合を解除できる。また、端子係合解除治具の挿入力（操作力）が極端に大きくなることもなく、よって、両持ちランス等の塑性変形を防止することができる。
【００４５】
また、本発明によれば、端子係合解除治具が無理に接続端子を押し込んで当該接続端子によってランスが削られることを防止できる。
【図面の簡単な説明】
【図１】コネクタハウジング、係止部材、および接続端子を有するコネクタの分解斜視図である。
【図２】係止部材がコネクタハウジングに仮係止された状態を示すコネクタの縦断面図である。
【図３】係止部材が仮係止されたコネクタハウジングに接続端子が挿入された状態を断面で示す斜視図である。
【図４】接続端子が挿入されたコネクタハウジングに係止部材が本係止された状態を断面で示す斜視図である。
【図５】本発明に係る端子係合解除治具の一実施形態の斜視図である。
【図６】図５の端子係合解除治具の側面図である。
【図７】図５の端子係合解除治具の先端形状を示す要部拡大側面図である。
【図８】（Ａ），（Ｂ），（Ｃ）は図５〜図７に示される端子係合解除治具を用いて両持ちランスと接続端子との係合を解除する手順を示す要部拡大側面図である。
【符号の説明】
４：    接続端子
４ｂ：  係合突起
１０：  コネクタ
１１：  コネクタハウジング
１１ａ：端子収容室
１１ｈ：両持ちランス
１１ｉ：係止部
１１ｋ：前壁
１１ｎ：治具挿入口
２０：  端子係合解除治具
２２：  棒状本体
２２ｃ：上テーパ面
２２ｄ：下テーパ面
２２ｅ  ：突起部
【図１】
2004327370.tif 000003
【図２】
2004327370.tif 000004
【図３】
2004327370.tif 000005
【図４】
2004327370.tif 000006
【図５】
2004327370.tif 000007
【図６】
2004327370.tif 000008
【図７】
2004327370.tif 000009
【図８】
2004327370.tif 000010